(57)【要約】【課題】圧縮機を駆動させるための駆動回路と、電源入力部に設けた零相変流器と、前記零相変流器の状態を検知して動作する遮断回路から構成した駆動装置における、圧縮機との配線作業工数を削減する。【解決手段】圧縮機２を駆動させるための駆動装置１を、駆動回路８と、電源入力部に設けた零相変流器５と、零相変流器５の状態を検知して動作する遮断回路７とで構成したことにより、圧縮機２への配線９を電源供給用の配線９のみとすることができ、過負荷保護装置を取付ける工数を必要としない圧縮機駆動装置を提供することができる。【選択図】図１
2013104366.tif 000002
【特許請求の範囲】
【請求項１】
駆動装置を、圧縮機を駆動させるための駆動回路と、電源入力部に設けた零相変流器と、前記零相変流器の状態を検知して動作する遮断回路とで構成した圧縮機駆動装置。
【請求項２】
駆動装置を、圧縮機を駆動させるための駆動回路と、出力部に設けた零相変流器と、前記零相変流器の状態を検知して動作する遮断回路とで構成した圧縮機駆動装置。
【請求項３】
前記零相変流器としてホール素子方式を採用し、さらに、前記遮断回路を、電源波形を整流する整流回路の後方に構成し、かつ前記整流回路と、前記駆動回路と、前記ホール素子と、前記遮断回路を基板に一体化した請求項１または２に記載の圧縮機駆動装置。
【発明の詳細な説明】
【技術分野】
【０００１】
本発明は、冷蔵庫等に搭載される冷却システムの圧縮機を駆動する圧縮機駆動装置に関するものである。
【背景技術】
【０００２】
従来、冷蔵庫等の冷却システムには圧縮機が搭載されており、特に、インバータ圧縮機においては、その駆動装置が別に必要であるとともに、圧縮機の温度を検出して圧縮機駆動装置への通電を停止する過負荷保護装置が圧縮機の外郭に取付けられた構成となっている（例えば、特許文献１参照）。
【０００３】
以下、図面を参照しながら上記従来の圧縮機駆動装置について説明する。
【０００４】
図３は、特許文献１に記載された従来の圧縮機駆動装置の回路接続を示したブロック図、図４は、過負荷保護装置の圧縮機への取り付けを示した分解斜視図である。
【０００５】
図３および図４において、圧縮機駆動装置１０１は、内部に整流回路１０１ａおよび駆動回路１０１ｂを有している。
【０００６】
インバータ方式の圧縮機１０４は、外郭に、金属板を曲げ加工したブラケット１０４ａが溶接されているほか、３本の接続端子１０４ｂが、ブラケット１０４ａの中央位置に設けられている。圧縮機１０４の温度を検知する過負荷保護装置１０８は、ブラケット１０４ａに密着取付けされている。クラスタターミナル１１６は、圧縮機駆動装置１０１と接続端子１０４ｂを接続している。カバー１２０は、過負荷保護装置１０８およびクラスタターミナル１１６を覆うようにブラケット１０４ａに取り付けられており、過負荷保護装置１０８に直接風が当たらないようにして、圧縮機１０４の温度検知の検知精度を向上させている。
【０００７】
以上のように構成された圧縮機駆動装置について、以下その動作を説明する。
【０００８】
圧縮機駆動装置１０１は、ＡＣ電源１１２を電源として、内部の整流回路１０１ａにて整流平滑されたＤＣ電圧を、駆動回路１０１ｂにてスイッチング制御し、圧縮機１０４に通電させることによって、圧縮機１０４を所望の回転数にて回転させるように制御する。
【０００９】
圧縮機駆動装置１０１が動作すると、圧縮機１０４は発熱し、過負荷時には高温になってしまうが、過負荷保護装置１０８は、ブラケット１０４ａに密着取付けされているため、圧縮機１０４の発熱は、過負荷保護装置１０８に熱伝導し、過負荷保護装置１０８の温度が所定の温度（たとえば１００℃）以上になると、過負荷保護装置１０８の内部接点が開放状態となる。
【００１０】
過負荷保護装置１０８が開放状態となると、圧縮機駆動装置１０１への通電が遮断されるため、圧縮機１０４は停止して、圧縮機１０４の温度はそれ以上に上昇することはない。
【００１１】
以上のような動作により圧縮機１０４は安全に駆動される。
【先行技術文献】
【特許文献】
【００１２】
【特許文献１】特開２００６−２２６２４８号公報
【発明の概要】
【発明が解決しようとする課題】
【００１３】
しかしながら、上記従来の構成は、過負荷保護装置１０８を圧縮機１０４に取付ける作業が必要になり、作業工数が増大するという課題を有していた。
【００１４】
本発明は、上記従来の課題を解決するもので、過負荷保護装置を圧縮機に取付ける工数が削減でき、かつ安全性の高い圧縮機駆動装置を提供することを目的としている。
【課題を解決するための手段】
【００１５】
上記従来の課題を解決するために、本発明の圧縮機駆動装置は、圧縮機を駆動させるための駆動回路と、電源入力部に設けた零相変流器と、前記零相変流器の状態を検知して動作する遮断回路とで構成したことにより、過負荷保護装置を個別に圧縮機に取付ける工数を削減したものである。
【００１６】
また、本発明の圧縮機駆動装置は、圧縮機を駆動させるための駆動回路と、出力部に設けた零相変流器と、前記零相変流器の状態を検知して動作する遮断回路から構成することにより、過負荷保護装置を個別に圧縮機に取付ける工数を削減したものである。
【発明の効果】
【００１７】
本発明の圧縮機駆動装置は、過負荷保護装置を個別に圧縮機に取付けする必要がないため、過負荷保護装置の取付け工数を削減することができる。
【図面の簡単な説明】
【００１８】
【図１】本発明の実施の形態１における圧縮機駆動装置の回路ブロック図
【図２】本発明の実施の形態２における圧縮機駆動装置の回路ブロック図
【図３】従来の圧縮機駆動装置の回路ブロック図
【図４】従来の過負荷保護装置の圧縮機への取り付けを示した分解斜視図
【発明を実施するための形態】
【００１９】
請求項１に記載の発明は、駆動装置を、圧縮機を駆動させるための駆動回路と、電源入力部に設けた零相変流器と、前記零相変流器の状態を検知して動作する遮断回路とで構成したものである。
【００２０】
かかることにより、過負荷保護装置を個別に圧縮機に取付ける必要がなく、組立の利便性が良い圧縮機駆動装置を提供することができる。
【００２１】
請求項２に記載の発明は、駆動装置を、圧縮機を駆動させるための駆動回路と、出力部に設けた零相変流器と、前記零相変流器の状態を検知して動作する遮断回路とで構成したものである。
【００２２】
かかることにより、過負荷保護装置を個別に圧縮機に取付ける必要がなく、組立の利便性が良い圧縮機駆動装置を提供することができる。
【００２３】
請求項３に記載の発明は、請求項１または２に記載の発明において、前記零相変流器としてホール素子方式を採用し、さらに、前記遮断回路を、電源波形を整流する整流回路の後方に構成し、かつ前記整流回路と、前記駆動回路と、前記ホール素子と、前記遮断回路を基板に一体化したものである。
【００２４】
かかることにより、過負荷保護装置を個別に圧縮機に取付ける必要がなく、組立の利便性が良く、かつ量産性に優れた圧縮機駆動装置を提供することができる。
【００２５】
以下、本発明の実施の形態について、図面を参照しながら説明する。なお、この実施の形態によってこの発明が限定されるものではない。
【００２６】
（実施の形態１）
図１は、本発明の実施の形態１における圧縮機駆動装置の回路ブロック図である。
【００２７】
図１において、圧縮機駆動装置１は、電源１２を入力側に、圧縮機２を出力側に接続して、圧縮機へ駆動電源を供給している。
【００２８】
圧縮機駆動装置１の構成は、内部に圧縮機２の駆動に必要な回路を構成した基板４が収容されており、外郭は樹脂製ケース等に覆われて絶縁を確保している。
【００２９】
基板４の構成は、電源入力部分に、ホール素子方式の零相変流器５が設置され、後段に、整流回路６、遮断回路７、駆動回路８を形成している。さらに、駆動回路８の出力側が配線９を通じて圧縮機２に接続されている。
【００３０】
配線作業は、零相変流器５、整流回路６、遮断回路７、駆動回路８を、一つの基板４上に配置しているため、圧縮機２への駆動電源供給のための配線９を引き回す（接続する）のみで済む。
【００３１】
また、駆動回路８には、圧縮機２のモーター巻線や基板４を保護するために、電源入力電流の検出により、圧縮機２の運転を制御する保護機能を有している。また、圧縮機２は外郭をアースに接続している。
【００３２】
以上のように構成された圧縮機駆動装置について、以下その動作、作用を説明する。
【００３３】
まず、ＡＣ電源を供給すると、圧縮機駆動装置は、ＡＣ電源１２を電源として、内部の整流回路６にて整流、平滑されたＤＣ電圧を、駆動回路８にてスイッチング制御し、圧縮機２に通電させることによって、圧縮機２が所望の回転数にて回転するように制御する。
【００３４】
圧縮機２内のモーターが回転することで冷媒を圧縮し、冷媒が冷凍サイクルを循環することによって、例えば、冷蔵庫等の庫内空気の冷却を行う。
【００３５】
また、圧縮機駆動装置１が圧縮機２を動作させると、圧縮機２は運転に伴って発熱し、圧縮機２が過負荷状態になった時には、圧縮機２は高温になり、同時に電源入力電流および圧縮機２の駆動電流値も上昇する。通常の場合は、駆動回路８内にある電流検出機能によってその電流を検出し、所定の電流以上流れるとソフトウエアによって出力を抑えるように制御される。そのため、モーター巻線の地絡等危険な状態になることはない。
【００３６】
しかしながら、モーター巻線にキズ等があった場合や、電流検出あるいは出力制御機能に不具合が発生し、これが原因でモーターの温度上昇が著しい場合などの異常時には、地絡が起こるケースがある。この地絡が発生した場合、圧縮機２から漏れた電流はアースに流れ込むが、１次側の電源入力部分に設けたホール素子方式の零相変流器５がいち早く検知し、ホール素子からの信号を遮断回路７が検知して電源供給を停止することができる。
【００３７】
以上のように、本実施の形態１においては、１次側の電源入力部分に設けた零相変流器５が、圧縮機２での地絡をいち早く検知し、遮断回路７により電源供給を停止するため、
人体への影響を最小限に抑えることができ、且つ圧縮機２への配線は電源供給用の配線９のみであり、過負荷保護装置を取付ける工数を必要としない圧縮機駆動装置を提供することができる。
【００３８】
（実施の形態２）
図２は、本発明の実施の形態２における圧縮機駆動装置の回路ブロック図である。ここで、実施の形態１と同じ構成要素については、同一の符号を付し、また構成においても、同様の内容については説明を省略する。
【００３９】
図２において、圧縮機駆動装置１は、実施の形態１と同様に電源１２を入力側に、圧縮機２を出力側に接続して、圧縮機へ駆動電源を供給している。
【００４０】
基板４の構成は、圧縮機２と接続された駆動回路８の２次側（出力側）回路部分に、零相変流器５を設け、実施の形態１と同様に、ＡＣ電源１２を電源として、整流回路６、遮断回路７、駆動回路８を備えて構成している。
【００４１】
以上のように構成された圧縮機駆動装置について、以下その動作、作用を説明する。
【００４２】
まず、ＡＣ電源を供給すると、実施の形態１と同様に圧縮機駆動装置は、ＡＣ電源１２を電源として、内部の整流回路６にて整流、平滑されたＤＣ電圧を、駆動回路８にてスイッチング制御し、圧縮機２に通電させることによって、圧縮機２が所望の回転数にて回転するように制御する。
【００４３】
圧縮機２内のモーターが回転することで冷媒を圧縮し、冷媒が冷凍サイクルを循環することによって、例えば、冷蔵庫等の庫内空気の冷却を行う。
【００４４】
また、運転中において、モーター巻線にキズ等があった場合や、電流検出あるいは出力制御機能に不具合が発生し、これが原因でモーターの温度上昇が著しい場合などの異常時には、地絡が起こるケースがある。この地絡が発生した場合、実施の形態１と同様に圧縮機２から漏れた電流はアースに流れ込むが、圧縮機へ接続する駆動回路８の２次側回路部分に設けた零相変流器５がいち早く検知し、ホール素子からの信号を遮断回路７が検知して電源供給を停止することができる。
【００４５】
以上のように、本実施の形態２においては、圧縮機へ接続する駆動回路８の２次側回路部分に設けた零相変流器５が、圧縮機２での地絡をいち早く検知し、遮断回路７により電源供給を停止するため、人体への影響を最小限に抑えることができ、且つ圧縮機２への配線は電源供給用の配線９のみであり、過負荷保護装置を取付ける工数を必要としない圧縮機駆動装置を提供することができる。
【産業上の利用可能性】
【００４６】
以上のように、本発明にかかる圧縮機駆動装置は、過負荷保護装置を圧縮機に取付ける工数を削減しながら、安全性も確保できるので、業務用冷蔵庫や一般家庭用冷蔵庫などの用途にも適用することができる。
【符号の説明】
【００４７】
１  圧縮機駆動装置
２  圧縮機
４  基板
５  零相変流器
６  整流回路
７  遮断回路
８  駆動回路
９  配線
１２  電源
【図１】
2013104366.tif 000003
【図２】
2013104366.tif 000004
【図３】
2013104366.tif 000005
【図４】
2013104366.tif 000006